(57)【要約】      （修正有）【課題】鈴を叩くための鈴棒を置き易くし、鈴の反響音を調節でき、鈴を叩き易くすることができる仏具用鈴台を提供する。【解決手段】中央に鈴２をネジ止めするための取付部を有する円盤状の仏具用鈴台１であって、鈴台の外周に鈴棒の転がりを防止する膨出部１−３を複数箇所形成する。上記膨出部１−３は鈴台１の金属板に直接打ち出し形成してもよいし、ビーズやガラス玉またはマグネットの玉のようなものを接着剤等で貼り付けた敷物を鈴台１に被せるようにしてもよいし、鈴台１の金属板に孔を穿っておいて軸付きのガラス玉を嵌めるようにしてもよい。【選択図】図２
0003165865.tif 000002
【実用新案登録請求の範囲】
【請求項１】
中央に鈴をネジ止めするための取付部を有する円盤状の仏具用鈴台であって、鈴台の外周に鈴棒の転がりを防止する膨出部を複数箇所形成したことを特徴とする仏具用鈴台。
【請求項２】
鈴台を鉄等の強磁性体で形成し、内部にマグネットを埋設した鈴棒が磁着できるようにしたことを特徴とする請求項１記載の仏具用鈴台。
【請求項３】
鈴台中央部の取付部に鈴をネジ止めする際にコイルスプリングまたは板ばねを介して取り付け、鈴の反響音を調整できるようにしたことを特徴とする請求項１記載の仏具用鈴台。
【請求項４】
鈴台中央部の取付部に鈴をネジ止めする際にコイルスプリングまたは板ばねを介して取り付け、鈴の反響音を調整できるようにしたことを特徴とする請求項１記載の仏具用鈴台。
【考案の詳細な説明】
【技術分野】
【０００１】本考案は、主として鈴棒を置き易い仏具用鈴台にかんするものである。
【背景技術】
【０００２】
【先行技術文献】
【非特許文献】
【非特許文献１】登録実用新案第３０５４６０７号公報
【非特許文献２】登録実用新案第３１１４２６８号公報
【考案の開示】
【考案が解決しようとする課題】
【０００３】従来から仏具用鈴台として、非特許文献１の登録実用新案第３０５４６０７号公報や非特許文献２の登録実用新案第３１１４２６８号公報等に記載されるようなものが公知である。【０００４】然しながら、これら公報に記載される鈴台の考案は、鈴の取り付けに関する技術であって、鈴を叩くための鈴棒を置き易くするようにしたものや鈴の反響音を調整したりするもの或いは鈴を叩き易くしたものは、現在考案されておらない。
【考案の目的】
【０００５】本考案は、鈴を叩くための鈴棒を置き易くし、鈴の反響音を調整でき、鈴を叩き易くすることができる仏具用鈴台を提供することにある。
【課題を解決するための手段】
【０００６】本考案の仏具用鈴台の請求項１に記載するものは、中央に鈴をネジ止めするための取り付け部を有する円盤状の仏具用鈴台であって、鈴台の外周に鈴棒の転がりを防止する膨出部を複数箇所形成したことを特徴とし、請求項２に記載するものは、請求項１に記載する鈴台を鉄等の強磁性体で形成し、内部にマグネットを埋設した鈴棒が磁着できるようにしたことを特徴とし、請求項３に記載するものは、請求項１に記載の鈴台中央部の取付部に鈴をネジ止めするための長孔を形成して鈴を左右にスライドさせて取り付けることができるようにしたことを特徴とし、請求項４に記載するものは、請求項１に記載の鈴台中央の取付部に鈴をネジ止めする際にコイルスプリングまたは板ばねを介して取り付け、鈴の反響音を調整できるようにしたことを特徴とするものである。
【発明の作用】
【０００７】▲１▼請求項１の仏具用鈴台では、鈴台の外周に膨出部を複数箇所形成してあるので、鈴棒を横にして置いても転がることがない。
▲２▼請求項２の仏具用鈴台では、請求項１に記載する鈴台を鉄等の強磁性体で形成し、内部にマグネットを埋設した鈴棒が磁着できるようにしてあるので、鈴棒を鈴台のどの箇所でも止めておける。
▲３▼請求項３の仏具用鈴台では、請求項１に記載する鈴台中央部の取付部に鈴をネジ止めするための長孔を形成してあるので、鈴を左右にスライドさせて鈴棒が置きやすいように取り付けたり、使い勝手がよいように取り付けることができる。
▲４▼請求項４の仏具用鈴台では、請求項１に記載の鈴台中央の取付部に鈴をネジ止めする際にコイルスプリングまたは板ばねを介して取り付けてあるので、ネジの締め具合によって鈴の反響音を調整することができる。
【実施例】
【０００８】図１は、本考案の鈴台の平面図、図２は、鈴を取り付けた状態を表す図１のイ−イ線における縦断側面図、図３は、鈴を取り付けた状態の斜視図、図４は、鈴棒の斜視図である。【０００９】１は、鈴２を取り付けるための円盤状の鈴台であって、中央には鈴２をネジ２−１とナット２−２によって止めるための膨出した取付部１−１が形成してあり、取付部１−１には鈴２の底部の孔を通したネジ２−１を挿通させるための長孔１−２が穿ってある。【００１０】また、鈴台の外周には鈴２を叩くための鈴棒Ａを横にして置いても転がらないように止める膨出部１−３・・・１−３を複数箇所形成してある。【００１１】上記膨出部１−３は鈴台１の金属板に直接打ち出し形成してもよいし、ビーズやガラス玉またはマグネットの玉のようなものを接着剤等で貼り付けた敷物を鈴台１に被せるようにしてもよいし、鈴台１の金属板に孔を穿っておいて軸付きのガラス玉を嵌めるようにしてもよいもので、膨出部１−３の形成方法についてはどのような方法を採用してもよいことは勿論である。【００１２】また、鈴台１を鉄製のものとすれば、図４のように内部にマグネットＭを埋設した鈴棒Ａを磁着させることができて鈴棒Ａを鈴台１のどの箇所でも止めておくことができるようになるものである。【００１３】図中、３は、鈴台１中央部の取付部１−１に鈴２をネジ止めする際に鈴２の反響を調整するために介在させたコイルスプリングまたは、板ばね、４は、鈴台１の下面に貼着された滑り止めのための布である。
【考案の効果】
【００１４】以上述べたように、本考案の仏具用鈴台によれば、
▲１▼請求項１の仏具用鈴台では、鈴台外周に膨出部を複数箇所形成してあるので、鈴棒を横にして置いても転がることがない。
▲２▼請求項２の仏具用鈴台では、請求項１に記載する鈴台を鉄等の強磁性体で形成し、内部にマグネットを埋設した鈴棒が磁着できるようにしてあるので、鈴棒を鈴台のどの箇所でも止めておける。
▲３▼請求項３の仏具用鈴台では、請求項１に記載する鈴台中央部の取付部に鈴をネジ止めするための長孔を形成してあるので、鈴を左右にスライドさせて鈴棒が置きやすいように取り付けたり、使い勝手がよいように取り付けることができる。
▲４▼請求項４の仏具用鈴台では、請求項１に記載の鈴台中央部の取付部に鈴をネジ止めする際にコイルスプリング又は板ばねを介して取り付けてあるので、ネジの締め具合によって鈴の反響音を調整することができる。
という効果を奏し得るもので、今までにない効果を有する仏具用鈴台を提供することができるものである。
【００１５】また、鈴台の膨出部は鈴台の周りを飾る装飾となって、荘厳さを演出でき、更に、膨出部を宗派の紋や家紋入りのガラス玉とすれば、装飾を兼ねて各家庭の宗派や家紋を表示できる効果がある。
【図面の簡単な説明】
【００１６】
【図１】本考案の鈴台の平面図である。
【図２】鈴を取り付けた状態を表す図１のイ−イ線における縦断側面図である。
【図３】鈴を取り付けた状態の斜視図である。
【図４】鈴棒の斜視図である。
【符号の説明】
【００１７】１            鈴台
２            鈴
３            バネ
４            布
Ａ            鈴棒
Ｍ            マグネット
【図１】
0003165865.tif 000003
【図２】
0003165865.tif 000004
【図３】
0003165865.tif 000005
【図４】
0003165865.tif 000006